(57)【要約】【課題】  動作データについてデータ量を任意に設定することができる医用処理システムを提供することを目的とする。【解決手段】  コントローラ１０に、Ｘ線診断装置２０の動作に関するデータを示す動作データ（動作ログ）についてデータ量のレベルを設定するレベル設定ボタン１３を備える。このようにコントローラ１０側にレベル設定ボタン１３を備えるので、動作ログについてデータ量を任意に設定することができる。すなわち、途中で変更設定することができるとともに、メンテナンスＰＣ３０のような遠隔地にデータ量のレベルを設定する場合と比較すると、容易に設定変更することができる。【選択図】        図１
2006158692.tif 000002
【特許請求の範囲】
【請求項１】
医用に関するデータに対して所定の処理を行う医用処理部と、その医用処理部を操作あるいは制御する操作・制御部とを有する医用装置を備え、その医用装置の各種のデータについて送受信できるように装置外部と通信可能に構成された医用処理システムであって、装置の動作に関するデータを示す動作データについてデータ量のレベルを設定するデータレベル設定手段を前記操作・制御部に備えることを特徴とする医用処理システム。
【請求項２】
請求項１に記載の医用処理システムにおいて、前記システムは、前記医用装置の各種のデータを統括処理する統括処理装置を備え、その統括処理装置と医用装置とを通信可能に接続し、前記データレベル設定手段で設定された設定データを医用装置から統括処理装置に送信して、その設定データに基づくレベルで動作データを医用装置は統括処理装置から受信することを特徴とする医用処理システム。
【請求項３】
請求項１または請求項２に記載の医用処理システムにおいて、前記医用装置は、前記操作・制御部に入力データを入力する入力部を備え、その入力部の少なくとも一部が、前記データレベル設定手段を兼用することを特徴とする医用処理システム。
【請求項４】
請求項１から請求項３のいずれかに記載の医用処理システムにおいて、前記医用装置およびその装置の動作に関する動作速度、または前記データ量のレベルのいずれか一方を変更すると、それに応じて他方を変更するように前記データレベル設定手段を構成することを特徴とする医用処理システム。
【請求項５】
請求項１から請求項４のいずれかに記載の医用処理システムにおいて、前記動作データの一部は、前記制御・操作部から前記医用処理部に操作あるいは制御する操作・制御データを含み、前記データ量のレベルの一部は、医用装置が装置外部から前記操作・制御データを受信するか否かで決定し、前記データレベル設定手段は前記決定を行うように構成することを特徴とする医用処理システム。
【請求項６】
請求項１から請求項５のいずれかに記載の医用処理システムにおいて、前記医用装置で不具合が生じたときに、前記データ量のレベルの変更設定を促すメッセージを医用装置は装置外部から受信することを特徴とする医用処理システム。
【請求項７】
請求項６に記載の医用処理システムにおいて、前記不具合が解消された後に所定期間に不具合がなければ、前記データ量のレベルを下げて動作データについてデータ量を少なくすることを特徴とする医用処理システム。
【請求項８】
請求項１から請求項７のいずれかに記載の医用処理システムにおいて、前記医用処理部は、被検体を透過した放射線を検出する放射線検出手段を備え、前記医用装置は、検出された放射線に基づいて画像処理を行うことで、被検体の撮像を行う放射線撮像装置に用いられることを特徴とする医用処理システム。
【発明の詳細な説明】
【技術分野】
【０００１】
この発明は、医用装置を備え、その装置外部と通信可能に構成された医用処理システムに係り、特に、医用装置と装置外部との間でデータを送受信する技術に関する。
【背景技術】
【０００２】
従来の医用処理システムとしては、オペレータが医用装置内の医用処理部を操作あるいは制御して、オペレータからみて遠隔地にある統括処理装置で医用装置の各種のデータを統括処理するものがある。このようなシステムでは、医用装置の外部にある統括処理装置と医用装置とを通信可能に接続するために、通信回線（例えばＲＳ−２３２Ｃ規格のケーブルやＬＡＮ(Local Area Network)ケーブル）を用いてシステムを構築する（例えば、特許文献１参照）。例えば、特許文献１のように医用処理システムをメンテナンス（保守）に用いる場合には、統括処理装置をメンテナンス装置として用いて、医用装置の制御データをメンテナンス装置に送信（特許文献１ではコピー）して制御データの変更を行う。
【０００３】
なお、制御データの一例として、装置の動作に関するデータを示す動作データ（以下、「動作ログ」と呼ぶ）がある。この動作ログを逐次に取得することで医用装置の動作の履歴がわかる。例えば、医用装置の医用処理部で医用処理を行う場合には、その前に動作ログについて必要とするデータ量を予め設定して、メンテナンス装置のような統括処理装置から医用装置が、設定されたデータ量に応じた動作ログを受信することで、動作ログを逐次に取得する。もし装置の動作状況が変われば、メンテナンス装置での制御データの変更に基づいて動作ログを変えて、医用装置は、動作ログを動的に取得することができる。
【特許文献１】特開２００２−３６０５２０号公報（第５−６頁、図１）
【発明の開示】
【発明が解決しようとする課題】
【０００４】
しかしながら、通信回線の通信能力や送受信する動作ログのデータ量に応じて転送速度や動作のパフォーマンスなどに代表される動作速度も変化する。もし、動作ログについて必要とするデータ量が多ければ、転送速度やパフォーマンスが遅くなり、転送速度やパフォーマンスを速くすれば、データ量が少なくなる。そこで、データ量と動作速度とのバランスを考慮して、動作ログのデータ量を予め設定する。
【０００５】
しかし、データ量と動作速度とのバランスをとるのは難しく、実際の最適な動作ログのデータ量を設定するのは難しい。また、一度設定するとデータ量を途中で変更設定するのは難しく、予め設定されたデータ量で医用装置は動作ログを受信することになる。すると、医用装置で不具合が生じたときに動作ログが多く必要となる場合に変更設定することができない。そこで、上述した特許文献１のように、メンテナンス装置のような統括処理装置で動作ログに代表される制御データを変更することに着想を得て、統括処理装置側でデータ量を任意に設定変更可能に構成することが考えられる。しかし、統括処理装置はオペレータからみて遠隔地にあるので、容易に設定変更することができない。
【０００６】
この発明は、このような事情に鑑みてなされたものであって、動作データについてデータ量を任意に設定することができる医用処理システムを提供することを目的とする。
【課題を解決するための手段】
【０００７】
この発明は、このような目的を達成するために、次のような構成をとる。
すなわち、請求項１に記載の発明は、医用に関するデータに対して所定の処理を行う医用処理部と、その医用処理部を操作あるいは制御する操作・制御部とを有する医用装置を備え、その医用装置の各種のデータについて送受信できるように装置外部と通信可能に構成された医用処理システムであって、装置の動作に関するデータを示す動作データについてデータ量のレベルを設定するデータレベル設定手段を前記操作・制御部に備えることを特徴とするものである。
【０００８】
［作用・効果］請求項１に記載の発明によれば、医用装置内にある操作・制御部は、同じく医用装置内にある医用処理部を操作あるいは制御するものである。この操作・制御部に、装置の動作に関するデータを示す動作データについてデータ量のレベルを設定するデータレベル設定手段を備える。このように操作・制御部側にデータレベル設定手段を備えるので、動作データについてデータ量を任意に設定することができる。
【０００９】
上述した発明において通信の対象となる医用装置外部の一例は、医用装置とは別の装置である統括処理装置であって、その統括処理装置をシステムに備えることである。すなわち、システムは、医用装置の各種のデータを統括処理する統括処理装置を備え、その統括処理装置と医用装置とを通信可能に接続し、データレベル設定手段で設定された設定データを医用装置から統括処理装置に送信して、その設定データに基づくレベルで動作データを医用装置は統括処理装置から受信する（請求項２に記載の発明）。
【００１０】
上述した発明においてデータレベル設定手段の各態様としては、以下のようなものがある。態様の一例は、医用装置は、操作・制御部に入力データを入力する入力部を備え、その入力部の少なくとも一部が、データレベル設定手段を兼用することである（請求項３に記載の発明）。また、態様の他の一例は、医用装置およびその装置の動作に関する動作速度、またはデータ量のレベルのいずれか一方を変更すると、それに応じて他方を変更するようにデータレベル設定手段を構成することである（請求項４に記載の発明）。特に、後者の発明（請求項４に記載の発明）の場合には、データ量と動作速度とのバランスを良好に保つことができる。なお、本明細書中での『動作速度』とは、医用装置とその装置外部とで通信して転送する転送速度や、各装置の動作のパフォーマンスを示す。
【００１１】
動作データの一例は、制御・操作部から医用処理部に操作あるいは制御する操作・制御データである。この操作・制御データを用いて以下のように構成してもよい。すなわち、データ量のレベルの一部は、医用装置が装置外部から操作・制御データを受信するか否かで決定し、データレベル設定手段は上述した決定を行うように構成する（請求項５に記載の発明）。医用装置が装置外部から操作・制御データを受信するか否かで、もし操作・制御データを受信することを決定すれば、操作・制御データを受信することによりデータ量のレベルが上がって動作データについてデータ量が多くなる。逆に操作・制御データを受信しないことを決定すれば、操作・制御データの分だけデータ量のレベルが下がってデータ量が少なくなる。この決定をデータレベル設定手段が行うことで、操作・制御データを受信するか否かでデータ量のレベルを設定することになる。
【００１２】
また、医用装置で不具合が生じたときに、データ量のレベルの変更設定を促すメッセージを医用装置は装置外部から受信するのが好ましい（請求項６に記載の発明）。医用装置を操作あるいは制御するオペレータは、このメッセージを閲覧することで、データ量のレベルを上げて動作データについてデータ量を多くすることができる。それによって、不具合に関する原因を、データ量が多くなった動作データでみつけることができる。
【００１３】
このような不具合が解消された後に所定期間に不具合がなければ、データ量のレベルを下げて動作データについてデータ量を少なくするのがより好ましい（請求項７に記載の発明）。これによって、不具合がないにも関わらず多量のデータ量による無駄を省くことができる。また、データ量を少なくすることで動作速度を上げることができるという効果をも奏する。
【００１４】
また、医用処理システムは、例えば以下のようなシステムに適用できる。すなわち、医用処理部は、被検体を透過した放射線を検出する放射線検出手段を備え、医用装置は、検出された放射線に基づいて画像処理を行うことで、被検体の撮像を行う放射線撮像装置に用いられる場合に適用できる（請求項８に記載の発明）。
【発明の効果】
【００１５】
この発明に係る医用処理システムによれば、操作・制御部に、装置の動作に関するデータを示す動作データについてデータ量のレベルを設定するデータレベル設定手段を備えることで、動作データについてデータ量を任意に設定することができる。
【実施例】
【００１６】
以下、図面を参照してこの発明の実施例を説明する。
図１は、実施例に係る医用処理システムの概略構成を示すブロック図であり、図２は、実施例に係るレベル設定ボタンの一例を示す概略図である。本実施例では、医用装置として、Ｘ線撮像を行うＸ線診断装置を例に採って説明する。
【００１７】
本実施例に係るＸ線診断装置は、図１に示すように、被検体Ｍを載置する天板１と、その被検体Ｍに向けてＸ線を照射するＸ線管２と、被検体Ｍを透過したＸ線を検出するフラットパネル型Ｘ線検出器（以下、適宜「ＦＰＤ」という）３とを備えている。
【００１８】
Ｘ線診断装置（図１では符号２０）は、他に、天板１の昇降および水平移動を制御する天板制御部４や、ＦＰＤ３の走査を制御するＦＰＤ制御部５や、Ｘ線管２の管電圧や管電流を発生させる高電圧発生部６を有するＸ線管制御部７や、ＦＰＤ３から電荷信号であるＸ線検出信号をディジタル化して取り出すＡ／Ｄ変換器８や、Ａ／Ｄ変換器８から出力されたＸ線検出信号に基づいて種々の処理を行う画像処理部９や、これらの各構成部を統括するコントローラ１０や、処理された画像などを記憶するメモリ部１１や、処理された画像などを表示するモニタ１２などを備えている。コントローラ１０および後述する入力部１４（図２を参照）は、この発明における操作・制御部に相当し、コントローラ１０や入力部１４以外の構成（符号１〜９，１１，１２）は、この発明における医用処理部に相当する。
【００１９】
天板制御部４は、天板１を水平移動させて被検体Ｍを撮像位置にまで収容したり、昇降および水平移動させて被検体Ｍを所望の位置に設定したり、水平移動させながら撮像を行ったり、撮像終了後に水平移動させて撮像位置から退避させる制御などを行う。ＦＰＤ制御部５は、ＦＰＤ３を水平移動させたり、被検体Ｍの体軸の軸心周りに回転移動させることによる走査に関する制御などを行う。高電圧発生部６は、Ｘ線を照射させるための管電圧や管電流を発生してＸ線管２に与え、Ｘ線管制御部７は、Ｘ線管２を水平移動させたり、被検体Ｍの体軸の軸心周りに回転移動させることによる走査に関する制御や、Ｘ線管３側のコリメータ（図示省略）の照視野の設定の制御などを行う。なお、Ｘ線管２やＦＰＤ３の走査の際には、Ｘ線管２から照射されたＸ線をＦＰＤ３が検出できるようにＸ線管２およびＦＰＤ３が互いに対向しながらそれぞれの移動を行う。
【００２０】
このような構成を備えたＸ線診断装置２０は、装置２０外部と通信可能になっており、装置２０外部にメンテナンスＰＣ３０を備えている。本実施例に係る医用処理システムは、このＸ線診断装置２０とメンテナンスＰＣ３０とを備えている。Ｘ線診断装置２０とメンテナンスＰＣ３０とは通信回線によって相互に接続することで、通信可能に構成される。これによって、Ｘ線診断装置２０の各種のデータを送受信する。通信回線としては、例えばＲＳ−２３２Ｃ規格のケーブルやＬＡＮ(Local Area Network)ケーブルが用いられる。また、無線ＬＡＮなどのように、Ｘ線診断装置２０やメンテナンスＰＣ３０に通信ポートを搭載し、電磁波などでデータを送受信してもよい。メンテナンスＰＣ３０は、この発明における統括処理装置に相当する。
【００２１】
コントローラ１０は、Ｘ線診断装置２０の動作に関するデータを示す動作データ（以下、「動作ログ」と呼ぶ）についてデータ量のレベルを設定するレベル設定ボタン１３を備えている。本実施例では、動作ログとしては、例えば撮像前準備段階での動作状況や、撮像中の動作状況や、撮像後の画像データなどがある。また、後述する入力部１４（図２を参照）からの操作に関するデータを示す操作ログも、動作ログに含まれる。レベル設定ボタン１３の具体的な機能・構成については、図２で後述する。レベル設定ボタン１３は、この発明におけるデータレベル設定手段に相当し、操作ログは、この発明における操作・制御データに相当する。
【００２２】
コントローラ１０は、中央演算処理装置（ＣＰＵ）などで構成されており、メモリ部１１は、ＲＯＭ（Read-only Memory）やＲＡＭ（Random-Access Memory）などに代表される記憶媒体などで構成されている。また、レベル設定ボタン１３は、図２に示すようにマウスやキーボードやジョイスティックやトラックボールやタッチパネルやボタンなどに代表されるポインティングデバイスで構成された入力部１４の一部のボタンがレベル設定ボタン１３を兼用するように構成されている。メンテナンスＰＣ３０は、ＣＰＵや記憶媒体やポインティングデバイスなどを搭載したコンピュータで構成されている。
【００２３】
データレベル設定ボタン１３は、動作ログについてデータ量のレベルを上げてデータ量を多くするレベルアップボタン１３ａ（図２の『▲』を参照）と、動作ログについてデータ量のレベルを下げてデータ量を少なくするレベルダウンボタン１３ｂ（図２の『▼』を参照）と、操作ログをＸ線診断装置２０が受信するか否かを決定するためのスキップボタン１３ｃ（図２の『ＳＫＩＰ』を参照）とを備えている。これらのボタン１３ａ〜１３ｃについては、汎用のボタンを代用してもよいし、新たにボタンを追加して配設してもよい。
【００２４】
本実施例では、レベルアップボタン１３ａを押下するたびにデータ量を順に多く設定するように構成する。同様に、レベルダウンボタン１３ｂについても押下するたびにデータ量を順に少なく設定するように構成する。また、本実施例では、スキップボタン１３ｃを押下することで受信をせずに、押下した状態のスキップボタン１３ｃを押下することで押下を解除して受信を行うように構成する。ここで、本実施例での操作ログは、コントローラ１０内に備えられた入力部１４（データレベル設定ボタン１３をも含む）から入力して、コントローラ１０や入力部１４以外の構成に操作あるいは制御する指令（コマンド）に関するログをいう。
【００２５】
なお、本実施例でのレベルアップボタン１３ａやレベルダウンボタン１３ｂの換わりに、レベルボタンを複数レベルに区分して（例えば、『レベル１』、『レベル２』、『レベル３』、…）配設し、データ量のレベルを低いあるいは高い順に、区分された各レベルボタンに対応させてもよい。また、本実施例でのスキップボタン１３ｃの換わりに、受信しないスキップボタンと受信する受信ボタンとを両方配設してもよい。
【００２６】
データレベル設定ボタン１３で設定されたデータ量のレベルに関するデータ（以下、「設定データ」と呼ぶ）をメンテナンスＰＣ３０に送信する。メンテナンスＰＣ３０は、Ｘ線診断装置２０からの各種のデータに基づいて動作ログを生成して記憶する。操作ログについてもメンテナンスＰＣ３０が生成して記憶する。
【００２７】
そして、操作ログを含んだ動作ログをＸ線診断装置２０に送信して、Ｘ線診断装置２０が受信する。動作ログをメンテナンスＰＣ３０からＸ線診断装置２０に送信する際には、設定データに基づくレベルでデータ量を決定して送信する。例えば、レベルアップボタン１３ａでデータ量のレベルを上げた場合には、レベルアップボタン１３ａを押下する前よりも多いデータ量の動作ログをメンテナンスＰＣ３０からＸ線診断装置２０に送信する。逆にレベルダウンボタン１３ｂでデータ量のレベルを下げた場合には、レベルダウンボタン１３ｂを押下する前よりも少ないデータ量の動作ログをメンテナンスＰＣ３０からＸ線診断装置２０に送信する。
【００２８】
また、スキップボタン１３ｃを押下した場合には、動作ログのうち、操作ログをメンテナンスＰＣ３０からＸ線診断装置２０へ送信せず、スキップボタン１３ｃを再度押下して押下を解除した場合には、操作ログごと動作ログをメンテナンスＰＣ３０からＸ線診断装置２０へ送信する。
【００２９】
続いて、本実施例に係る医用処理システムにおける一連の処理の流れについて、図３〜図６のタイミングチャートおよび図７、図８の表示態様を参照して説明する。図３は、レベルアップボタンあるいはレベルダウンボタンを押下したときのタイミングチャートであって、図４は、スキップボタンを押下したときのタイミングチャートであって、図５は、スキップボタンの押下の解除でのタイミングチャートであって、図６は、Ｘ線診断装置で不具合が生じたときのタイミングチャートである。
【００３０】
まず、レベルアップボタン１３ａあるいはレベルダウンボタン１３ｂを押下したときについて説明する。
【００３１】
（ステップＳ１）レベルアップ／ダウンボタンを押下
現在の状況よりも動作ログのデータ量が多く必要とオペレータが判断した場合には、レベルアップボタン１３ａを押下する。現在の状況よりも動作ログのデータ量が少なくても済むとオペレータが判断した場合には、レベルダウンボタン１３ｂを押下する。
【００３２】
（ステップＳ２）設定データを送信／（ステップＴ１）設定データを受信
レベルアップボタン１３ａの押下に伴って多くのデータ量を設定する、あるいはレベルダウンボタン１３ｂの押下に伴って少ないデータ量を設定すると、その設定データをＸ線診断装置２０のＸ線管制御部７からメンテナンスＰＣ３０に送信する。メンテナンスＰＣ３０は設定データをＸ線診断装置２０から受信する。
【００３３】
（ステップＴ２）動作ログを生成
メンテナンスＰＣ３０は、その設定データに基づくレベルで動作ログを生成して記憶する。レベルアップボタン１３ａでデータ量のレベルを上げている場合には、レベルアップボタン１３ａを押下する前よりも多いデータ量の動作ログを生成して記憶する。レベルダウンボタン１３ｂでデータ量のレベルを下げている場合には、レベルダウンボタン１３ｂを押下する前よりも少ないデータ量の動作ログを生成して記憶する。
【００３４】
（ステップＴ３）動作ログを送信／（ステップＳ３）動作ログを受信
メンテナンスＰＣ３０は、生成された動作ログをＸ線診断装置２０に送信する。Ｘ線診断装置２０のＸ線管制御部７は動作ログを逐次に受信する。データ量が多ければ逐次に受信する時間が長くなり、データ量が少なければ逐次に受信する時間も短くなる。受信した動作ログをモニタ１２（図１を参照）に表示させる。本実施例ではモニタ１２は画像処理部９（図１を参照）で処理された画像を表示するので、モニタ１２とは別の表示手段で動作ログを表示させてもよい。
【００３５】
次に、スキップボタン１３ｃを押下したときについて説明する。
【００３６】
（ステップＳ１１）スキップボタンを押下
操作ログが必要でないとオペレータが判断した場合には、スキップボタン１３ｃを押下する。本実施例では、一度押下すると押下した状態でスキップボタン１３ｃがロックされる。
【００３７】
（ステップＳ１２）設定データを送信／（ステップＴ１１）設定データを受信
スキップボタン１３ｃの押下に伴ってＸ線診断装置２０での操作ログの受信を行わないと設定すると、その設定データをＸ線診断装置２０のＸ線管制御部７からメンテナンスＰＣ３０に送信する。メンテナンスＰＣ３０は設定データをＸ線診断装置２０から受信する。なお、この設定により、データ量のレベルが下がる。
【００３８】
（ステップＴ１２）操作ログを生成
メンテナンスＰＣ３０は、その設定データに基づいて操作ログを含めて動作ログを生成して記憶する。
【００３９】
（ステップＴ１３）操作ログを除いて動作ログを送信／（ステップＳ１３）その動作ログを受信
スキップボタン１３ｃの押下によってＸ線診断装置２０はメンテナンスＰＣ３０からの操作ログを受信しないので、メンテナンスＰＣ３０は、操作ログを除いて動作ログをＸ線診断装置２０に送信する。Ｘ線診断装置２０のＸ線管制御部７はその動作ログを逐次に受信する。なお、ステップＴ１２の時点で、操作ログを生成せずにそれ以外の動作ログのみを生成してもよい。この場合には、メンテナンスＰＣでの記憶媒体の負荷を低減させることができる。
【００４０】
次に、スキップボタン１３ｃの押下の解除のときについて説明する。
【００４１】
（ステップＳ２１）スキップボタンを押下
操作ログが必要であるとオペレータが判断した場合には、押下した状態のスキップボタン１３ｃを押下することで押下（ロック）を解除する。
【００４２】
（ステップＳ２２）設定データを送信／（ステップＴ２１）設定データを受信
スキップボタン１３ｃの押下の解除に伴ってＸ線診断装置２０での操作ログの受信を行うと設定すると、その設定データをＸ線診断装置２０のＸ線管制御部７からメンテナンスＰＣ３０に送信する。メンテナンスＰＣ３０は設定データをＸ線診断装置２０から受信する。なお、この設定により、データ量のレベルが上がる。
【００４３】
（ステップＴ２２）操作ログを生成
メンテナンスＰＣ３０は、その設定データに基づいて操作ログを含めて動作ログを生成して記憶する。
【００４４】
（ステップＴ２３）操作ログを含めて動作ログを送信／（ステップＳ２３）その動作ログを受信
スキップボタン１３ｃの押下の解除によってＸ線診断装置２０はメンテナンスＰＣ３０からの操作ログを受信するので、メンテナンスＰＣ３０は、操作ログを含めて動作ログをＸ線診断装置２０に送信する。Ｘ線診断装置２０のＸ線管制御部７はその動作ログを逐次に受信する。
【００４５】
次に、Ｘ線診断装置２０で不具合が生じたときについて説明する。
【００４６】
（ステップＳ３１）Ｘ線診断装置に不具合
Ｘ線診断装置２０で不具合が生じたときには、不具合を報知するデータをＸ線診断装置２０が作成する。不具合が生じたときとしては、例えば故障などの装置の不具合を自動的に検出する場合や、オペレータが故障だと判断した場合や、装置が通常の動作状態でないとして通常よりも多くのデータ量の動作ログを必要だとオペレータが判断した場合などを含む。
【００４７】
（ステップＳ３２）不具合を報知するデータを送信／（ステップＴ３１）不具合を報知するデータを受信
この不具合を報知するデータをＸ線診断装置２０のＸ線管制御部７からメンテナンスＰＣ３０に送信する。メンテナンスＰＣ３０はこのデータをＸ線診断装置２０から受信する。
【００４８】
（ステップＴ３２）変更設定促進メッセージを作成
メンテナンスＰＣ３０は、その受信したデータに基づいて動作ログについてデータ量のレベルの変更設定を促すメッセージを作成して記憶する。
【００４９】
（ステップＴ３３）変更設定促進メッセージを送信／（ステップＳ３３）変更設定促進メッセージを受信
メンテナンスＰＣ３０は、生成された上述したメッセージをＸ線診断装置２０に送信する。Ｘ線診断装置２０のＸ線管制御部７はこのメッセージを受信する。受信したメッセージをモニタ１２（図１を参照）に表示させる。このときのメッセージの表示態様は、例えば図７に示すとおりである。
【００５０】
（ステップＳ３４）モニタでレベルアップ選択
図７のモニタ１２による表示態様では、２つの変更設定促進メッセージｍ1（図７では、『故障が起こりました』）、ｍ2（図７では、『データ量のレベルをアップしますか？』）を表示させるとともに、選択ボタンｓ1（図７では『ＹＥＳ』）、ｓ2（図７では『ＮＯ』）を表示させる。図７のモニタ１２はタッチパネルとなっており、現在の状況よりも動作ログのデータ量が多く必要とオペレータが判断した場合には、図７中の『ＹＥＳ』の選択ボタンｓ1に触れる。現在の状況と同じレベルでよいとオペレータが判断した場合には、図７中の『ＮＯ』の選択ボタンｓ2に触れる。なお、レベルアップの選択については、モニタ１２に搭載されたタッチパネルに限定されず、上述したレベルアップボタン１３ａで行ってもよいし、マウスやキーボードで行ってもよい。このように、ポインティングデバイスであればレベルアップの選択については特に限定されない。また、変更設定促進メッセージを受信した後に、オペレータに委ねずデータ量のレベルを自動的に上げてもよい。
【００５１】
（ステップＳ３５）設定データを送信／（ステップＴ３４）設定データを受信
図４のステップＳ２やＴ１でのデータ量のレベルアップと同様に、図７中の『ＹＥＳ』の選択ボタンｓ1への接触に伴って多くのデータ量を設定すると、その設定データをＸ線診断装置２０のＸ線管制御部７からメンテナンスＰＣ３０に送信する。メンテナンスＰＣ３０は設定データをＸ線診断装置２０から受信する。その後の動作ログを生成、動作ログをメンテナンスＰＣからＸ線診断装置２０に送受信については、図４のステップＴ２やＴ３，Ｓ４と同様なので、その説明を省略する。
【００５２】
（ステップＳ３６）所定期間に不具合がない
一方、不具合が解消された後に所定期間に不具合がなければ、不具合を解消するデータをＸ線診断装置２０が作成する。
【００５３】
（ステップＳ３７）不具合を解消するデータを送信／（ステップＴ３５）不具合を解消するデータを受信
この不具合を解消するデータをＸ線診断装置２０のＸ線管制御部７からメンテナンスＰＣ３０に送信する。メンテナンスＰＣ３０はこのデータをＸ線診断装置２０から受信する。
【００５４】
（ステップＴ３６）レベルダウンメッセージを作成
メンテナンスＰＣ３０は、その受信したデータに基づいて動作ログについてデータ量のレベルダウンを促すレベルダウンメッセージを作成して記憶する。
【００５５】
（ステップＴ３７）レベルダウンメッセージを送信／（ステップＳ３８）レベルダウンメッセージを受信
メンテナンスＰＣ３０は、生成された上述したメッセージをＸ線診断装置２０に送信する。Ｘ線診断装置２０のＸ線管制御部７はこのメッセージを受信する。受信したメッセージをモニタ１２（図１を参照）に表示させる。このときのメッセージの表示態様は、例えば図８に示すとおりである。
【００５６】
（ステップＳ３９）モニタでレベルダウン選択
図８のモニタ１２による表示態様では、２つのレベルダウンメッセージｍ3（図８では、『不具合が解消されました』）、ｍ4（図８では『データ量のレベルをダウンしますか？』）を表示させるとともに、選択ボタンｓ3（図８では『ＹＥＳ』）、ｓ4（図８では『ＮＯ』）を表示させる。ステップＳ３４と同様に、レベルを下げる場合には図８中の『ＹＥＳ』の選択ボタンｓ3に触れ、レベルを維持する場合には図８中の『ＮＯ』の選択ボタンｓ4に触れる。レベルダウンの選択については、上述したレベルダウンボタン１３ｂなどに代表されるようにポインティングデバイスであれば特に限定されない。また、レベルダウンメッセージを受信した後に、オペレータに委ねずデータ量のレベルを自動的に下げてもよい。
【００５７】
（ステップＳ４０）設定データを送信／（ステップＴ３８）設定データを受信
図４のステップＳ２やＴ１でのデータ量のレベルダウンと同様に、図８中の『ＹＥＳ』の選択ボタンｓ3への接触に伴って少ないデータ量を設定すると、その設定データをＸ線診断装置２０のＸ線管制御部７からメンテナンスＰＣ３０に送信する。メンテナンスＰＣ３０は設定データをＸ線診断装置２０から受信する。その後の動作ログを生成、動作ログをメンテナンスＰＣからＸ線診断装置２０に送受信については、図４のステップＴ２やＴ３，Ｓ４と同様なので、その説明を省略する。
【００５８】
以上のように構成された実施例に係る医用処理システムによれば、Ｘ線診断装置２０内にあるコントローラ１０は、同じくＸ線診断装置２０内にある符号１〜９，１１，１２に示す構成を操作あるいは制御して統括するものである。このコントローラ１０に、Ｘ線診断装置２０の動作に関するデータを示す動作データ（動作ログ）についてデータ量のレベルを設定するレベル設定ボタン１３を備える。このようにコントローラ１０側にレベル設定ボタン１３を備えるので、動作ログについてデータ量を任意に設定することができる。すなわち、途中で変更設定することができるとともに、メンテナンスＰＣ３０のような遠隔地にデータ量のレベルを設定する場合と比較すると、容易に設定変更することができる。
【００５９】
本実施例では、通信の対象となるＸ線診断装置２０の外部として、この発明における統括処理装置に相当するメンテナンスＰＣ３０をシステムに備えている。このメンテナンスＰＣ３０とＸ線診断装置とを通信回線によって通信可能に接続し、レベル設定ボタン１３で設定された設定データをＸ線診断装置２０のＸ線管制御部７からメンテナンスＰＣ３０に送信して、その設定データに基づくレベルで動作ログをＸ線診断装置２０のＸ線管制御部７はメンテナンスＰＣ３０から受信する。
【００６０】
本実施例では、動作ログのデータ量のレベルを左右するのに、データ量の量以外に、Ｘ線診断装置２０がメンテナンスＰＣ３０から操作ログを受信するか否かでも決定し、レベル設定ボタン１３は上述した決定を行うように構成している。Ｘ線診断装置２０がメンテナンスＰＣ３０から操作ログを受信するか否かで、もし操作ログを受信することを決定すれば、操作ログを受信することにより動作ログが操作ログを含んで、データ量のレベルが上がって動作ログについてデータ量が多くなる。逆に操作ログを受信しないことを決定すれば、操作ログの分だけデータ量のレベルが下がってデータ量が少なくなる。本実施例では、レベル設定ボタン１３のうちのスキップボタン１３ｃの押下で操作ログを受信することを決定し、スキップボタン１３ｃの押下の解除で操作ログを受信しないことを決定する。この決定をスキップボタン１３ｃが行うことで、操作ログを受信するか否かでデータ量のレベルを設定することになる。
【００６１】
また、本実施例では、Ｘ線診断装置２０で不具合が生じたときに、データ量のレベルの変更設定を促すメッセージ（変更設定促進メッセージ）をＸ線診断装置２０はメンテナンスＰＣ３０から受信している。オペレータは、このメッセージを閲覧することで、データ量のレベルを上げて動作ログについてデータ量を多くすることができる。それによって、不具合に関する原因を、データ量が多くなった動作ログでみつけることができる。
【００６２】
このような不具合が解消された後に所定期間に不具合がなければ、本実施例ではデータ量のレベルを下げて動作ログについてデータ量を少なくしている。本実施例では、オペレータが確認的に手動で行うように、レベルダウンメッセージを閲覧してからデータ量のレベルダウンをオペレータに選択させてからにしている。これによって、不具合がないにも関わらず多量のデータ量による無駄を省くことができる。また、データ量を少なくすることで動作速度を上げることができるという効果をも奏する。ここでの動作速度は、Ｘ線診断装置２０に代表される医用装置と、その装置外部とで通信して転送する転送速度や、各装置（Ｘ線診断装置２０やメンテナンスＰＣ３０）の動作のパフォーマンスを含む。
【００６３】
なお、本実施例では、被検体Ｍを透過した放射線を検出するＦＰＤ３を備え、Ｘ線診断装置２０は、検出された放射線に基づいて画像処理を行うことで、被検体Ｍの撮像を行うＸ線診断装置に用いられている。
【００６４】
この発明は、上記実施形態に限られることはなく、下記のように変形実施することができる。
【００６５】
（１）上述した実施例では、図１に示すようなＸ線診断装置を例に採って説明したが、この発明は、例えばＣ型アームに配設されたＸ線診断装置にも適用してもよい。また、この発明は、Ｘ線ＣＴ装置にも適用してもよい。
【００６６】
（２）上述した実施例では、Ｘ線診断装置に代表されるＸ線撮像装置を例に採って説明したが、ＥＣＴ（Emission Computed Tomography）装置のように放射性同位元素（ＲＩ）を投与された被検体から放射されるγ線を検出して撮像を行う装置のように、放射線検出手段によって検出された放射線に基づいて画像処理を行うことで、被検体の撮像を行う放射線撮像装置であれば、特に限定されない。
【００６７】
（３）上述した実施例では、Ｘ線診断装置に代表される放射線撮像装置を例に採って説明したが、ＭＲＩ（Magnetic Resonance Imaging）（核磁気共鳴映像装置）やＵＳ（Ultra Sound）（超音波診断装置）やＤＲ（Digital Radiography）（ディジタルラジオグラフィ装置）など、医用に関するデータに対して所定の処理を行う医用処理部と、その医用処理部を操作あるいは制御する操作・制御部（実施例ではコントローラ１０）とを有する医用装置であれば、特に限定されない。また、操作・制御部は、医用処理部を直接的に操作する構成であってもよいし、操作・制御部や医用処理部以外の他の構成を操作することで医用処理部を制御する構成であってもよい。
【００６８】
（４）上述した実施例では、通信の対象となる医用装置（実施例ではＸ線診断装置２０）外部として、統括処理装置（実施例ではメンテナンスＰＣ３０）をシステムに備えたが、システム外に通信の対象を設けてもよい。例えば、図９に示すように、統括処理装置を除いて、コントローラ１０および入力部１４からなる操作・制御部４０と医用処理部５０とを備えた医用処理システム６０を複数設ける（図９では、符号６０Ａ、６０Ｂ，…）。各医用処理システム６０とシステム外部にある統括処理装置７０とを通信可能に構成してもよい。
【００６９】
（５）上述した実施例では、この発明におけるデータレベル設定手段としてレベル設定ボタン１３を例に採って説明し、入力部１４の一部がレベル設定ボタン１３を兼用したが、ボタン以外の入力部（ポインティングデバイス）がデータレベル設定手段を兼用してもよい。例えば、実施例のステップＳ３４やＳ３９のモニタでレベルアップ／ダウン選択でも述べたように、モニタ１２に搭載されたタッチパネルや、マウスやキーボードがデータレベル設定手段を兼用してもよい。
【００７０】
（６）この発明におけるデータレベル設定手段でデータ量のレベルを設定するのは、予め用意されたボタン（実施例ではレベル設定ボタン１３）の押下や、モニタ１２での指示にしたがって入力すること（実施例ではモニタ１２に搭載されたタッチパネル（図７、図８を参照））以外にも、数値などのデータをキーボードやマウスで入力することでデータ量のレベルを設定してもよい。例えば、データ量のレベルを複数レベル『レベル１』、『レベル２』、『レベル３』、…に区分して、『１』の数値を入力すれば『レベル１』を選択して、『３』の数値を入力すれば『レベル３』を選択して、データ量のレベルを設定してもよい。また、例えば、データ量の具体的な数値（例えば必要とする動作ログの数）を入力することで、データ量のレベルを設定してもよい。
【００７１】
（７）この発明におけるデータレベル設定手段でデータ量のレベルを設定するのは、他の物理量にしたがって行ってもよい。例えば、医用装置およびその装置の動作に関する動作速度、またはデータ量のレベルのいずれか一方を変更すると、それに応じて他方を変更するようにデータレベル設定手段を構成してもよい。
【００７２】
図１０、図１１に示す変形例では、データレベル設定手段として、マウスやキーボードを例に採って説明するとともに、動作速度として転送速度を例に採って説明する。図１０は、変形例に係るレベル設定を実現するための概略構成を示すブロック図であって、図１１は、変形例に係るレベル設定時における表示態様である。
【００７３】
図１０に示すように、メモリ部１１に相関関係メモリ１１ａを設ける。この相関関係メモリ１１ａに、動作ログのデータ量と、そのデータ量での転送速度とについて、データ量または転送速度のいずれか一方を逐次変更しながら他方のデータを予め計測する。このようにして得られたデータ量と転送速度とのデータは相関関係を有し、この相関関係を相関関係１１ａに予め記憶する。
【００７４】
図１１のモニタ１２による表示態様では、転送速度を入力する第１入力欄ｉ1とデータ量（の数）を入力する第２入力欄ｉ2とを表示させるとともに、バーをスライドさせることで転送速度を入力する第１スライドバーｂ1とデータの量を入力する第２スライドバーｂ2とを表示させる。転送速度を入力する場合には、第１入力欄ｉ1にキーボードなどで数値を入力する、あるいは第１スライドバーｂ1をマウスでクリック（押下）してドラッグ（クリックした状態でマウスを移動）する。データ量を入力する場合には、第２入力欄ｉ2にキーボードなどで数値を入力する、あるいは第２スライドバーｂ2をマウスでドラッグする。なお、図１１中の『ｂｐｓ』は転送速度の単位で１秒当たりに転送する情報量『Bit Per Sec』である。
【００７５】
転送速度を入力した場合には、入力した転送速度および相関関係メモリ１１ａでの相関関係に基づいて、転送速度に対応したデータ量を相関関係メモリ１１ａから読み出して、読み出された値を第１入力欄ｉ1に表示させるか、あるいは第１スライドバーｂ1で表示させる。データ量を入力した場合には、入力したデータ量および相関関係メモリ１１ａでの相関関係に基づいて、データ量に対応した転送速度を相関関係メモリ１１ａから読み出して、読み出された値を第２入力欄ｉ2に表示させるか、あるいは第２スライドバーｂ2で表示させる。したがって、動作速度またはデータ量のレベルのいずれか一方を変更すると、それに応じて他方を変更するようになっている。
【００７６】
このように構成することで、データ量と動作速度（ここでは転送速度）とのバランスを良好に保つことができる。転送速度以外の動作速度についても同様の手法で行えばよい。
【００７７】
（８）上述した実施例では、医用装置外部の通信先はコントローラ１０に直接的に接続されていなかったが、コントローラ１０に直接的に接続されていてもよい。
【図面の簡単な説明】
【００７８】
【図１】実施例に係る医用処理システムの概略構成を示すブロック図である。
【図２】実施例に係るレベル設定ボタンの一例を示す概略図である。
【図３】レベルアップボタンあるいはレベルダウンボタンを押下したときのタイミングチャートである。
【図４】スキップボタンを押下したときのタイミングチャートである。
【図５】スキップボタンの押下の解除でのタイミングチャートである。
【図６】Ｘ線診断装置で不具合が生じたときのタイミングチャートである。
【図７】実施例に係るレベルアップ選択時における表示態様である。
【図８】実施例に係るレベルダウン選択時における表示態様である。
【図９】変形例に係る医用処理システムの概略構成を示すブロック図である。
【図１０】変形例に係るレベル設定を実現するための概略構成を示すブロック図である。
【図１１】変形例に係るレベル設定時における表示態様である。
【符号の説明】
【００７９】
１０  …  コントローラ
１３  …  レベル設定ボタン
１４  …  入力部
２０  …  Ｘ線診断装置
３０  …  メンテナンスＰＣ
Ｍ  …  被検体
【図１】
2006158692.tif 000003
【図２】
2006158692.tif 000004
【図３】
2006158692.tif 000005
【図４】
2006158692.tif 000006
【図５】
2006158692.tif 000007
【図６】
2006158692.tif 000008
【図７】
2006158692.tif 000009
【図８】
2006158692.tif 000010
【図９】
2006158692.tif 000011
【図１０】
2006158692.tif 000012
【図１１】
2006158692.tif 000013